(57)【要約】【課題】本発明は、構造を複雑にすることなくインダクタ回りの磁場の範囲を縮小し、インダクタから発生する磁力が内外に与える影響を低減することのできるストロボ装置用発光回路を提供する。【解決手段】閃光放電管に電力供給するためのコンデンサと、コンデンサと閃光放電管とを繋ぐ電路上に設けられたインダクタとを備え、インダクタが導線を螺旋状に巻いたコイルで構成されたストロボ装置用発光回路において、インダクタは、導線を螺旋状に巻いた第一コイル部と、第一コイル部に対して電気的に直列接続され、第一コイル部と同心又は略同心になるように導線を螺旋状に巻いた第二コイル部とを少なくとも一つずつ備え、第一コイル部は、電流が中心回りで一方向に流れるように導線の巻方向が設定され、第二コイル部は、電流が中心回りで一方向とは逆の他方向に流れるように導線の巻方向が設定されている。【選択図】図１
2011035339.tif 000002
【特許請求の範囲】
【請求項１】
閃光放電管に電力供給するためのコンデンサと、コンデンサと前記閃光放電管とを繋ぐ電路上に設けられたインダクタとを備え、インダクタが導線を螺旋状に巻いたコイルで構成されたストロボ装置用発光回路において、前記インダクタは、導線を螺旋状に巻いた第一コイル部と、第一コイル部に対して電気的に直列接続され、前記第一コイル部と同心又は略同心になるように導線を螺旋状に巻いた第二コイル部とを少なくとも一つずつ備え、前記第一コイル部は、電流が中心回りで一方向に流れるように導線の巻方向が設定され、前記第二コイル部は、電流が中心回りで一方向とは逆の他方向に流れるように導線の巻方向が設定されていることを特徴とするストロボ装置用発光回路。
【請求項２】
前記第一コイル部と前記第二コイル部とで、前記導線の巻数が異なることを特徴とする請求項１に記載のストロボ装置用発光回路。
【請求項３】
前記コンデンサ及び前記インダクタが筐体内に内装され、前記筐体の壁部と前記コンデンサとの間に、前記第一コイル部又は前記第二コイル部の何れか一方が壁部側に配置されるとともに、他方が前記コンデンサ側に配置され、前記第一コイル部又は前記第二コイル部のうち、前記壁部側に配置される何れか一方の導線の巻数よりも、他方の導線の巻数が多く設定されていることを特徴とする請求項２に記載のストロボ装置用発光回路。
【請求項４】
前記第一コイル部と前記第二コイル部との間に、前記第一コイル部と前記第二コイル部との配置を決定するためのスペーサーが配置されることを特徴とする請求項１乃至請求項３の何れか１項に記載のストロボ装置用発光回路。
【請求項５】
。
閃光放電管と、請求項１乃至請求項４の何れか１項に記載のストロボ装置用発光回路とを備えていることを特徴とするストロボ装置。
【発明の詳細な説明】
【技術分野】
【０００１】
本発明は、ストロボ装置に装備される閃光放電管を発光させるための発光回路、及びそれを搭載したストロボ装置に関し、特には、磁場の発生源となるインダクタを備えたストロボ装置用発光回路、及びそれを搭載したストロボ装置に関する。
【背景技術】
【０００２】
従来から、写真撮影に用いられるストロボ装置には、種々のタイプのものがあり、その一つとして、光源に閃光放電管が採用されたものが知られている。
【０００３】
かかるストロボ装置は、閃光放電管を発光させるための発光回路に、閃光放電管に電力供給するためのコンデンサを備えており、写真撮影するに当り、トリガー回路から閃光放電管に励起電力が供給されるのに併せて閃光放電管にコンデンサから電力（発光エネルギー）を供給するようになっている。
【０００４】
そして、この種のストロボ装置用発光回路は、コンデンサと閃光放電管とを電気的に繋ぐ電路上にインダクタが設けられている。かかるインダクタは、導線を螺旋状に巻いたコイル、すなわち巻線インダクタで構成されており、そのコイルを構成する導線の一端側がコンデンサに対して電気的に接続され、他端側が閃光放電管の電極に対して電気的に接続されている。
【０００５】
これにより、上記構成のストロボ装置は、閃光放電管の発光時間の制御や発光回路の保護が図られている。
【０００６】
すなわち、インダクタが無ければ、コンデンサから閃光放電管に大電流が瞬時に供給されてしまい、急激に発光電流が増加して閃光放電管の発光量が瞬間的に最大になる（発光波形が急激に立ちあがる）が、上記構成のストロボ装置は、コンデンサと閃光放電管との間にインダクタが設けられているため、コンデンサから閃光放電管に大電流が瞬時に供給されることが抑えられて閃光放電管での発光電流の増加傾向が緩やかになり、発光回路の損傷を防止し、また、写真撮影の際には、閃光放電管の発光量が瞬間的に最大になるのを抑えてカメラのシャッター速度に同調させることができるようになっている（例えば、特許文献１参照）。
【先行技術文献】
【特許文献】
【０００７】
【特許文献１】特開平１０−４８７１４号公報
【発明の概要】
【発明が解決しようとする課題】
【０００８】
ところで、上記構成のストロボ装置は、巻線インダクタを備えているため、写真撮影時（閃光放電管の発光時）に電磁誘導によって磁力が発生し、その磁力がストロボ装置の内外に影響を及ぼすことが懸念される。
【０００９】
すなわち、ストロボ装置は、写真撮影時にカメラに装着されたり、カメラの近くで使用されたりするが、カメラは撮影者の顔の前に構えて使用されるため、ストロボ装置も必然的に撮影者に接近した配置になる。そのため、ストロボ装置の外部にまで広がる磁場（ストロボ装置から漏洩する磁力）が撮影者に影響を及ぼすことが懸念される。
【００１０】
また、ストロボ装置やカメラの高機能化に伴い、ストロボ装置やカメラにＣＰＵや、ＲＡＭ、ＲＯＭ等の記憶手段、各種メディア、通信手段等が実装されることもあるが、インダクタ周辺に形成される磁場が広範囲にまで広がると、ストロボ装置やカメラに実装されるＣＰＵ等の機能を阻害することも懸念される。
【００１１】
そこで、本発明は、構造を複雑にすることなくインダクタ回りの磁場の範囲を縮小し、インダクタから発生する磁力が内外に与える影響を低減することのできるストロボ装置用発光回路、及びそれを用いたストロボ装置を提供する。
【課題を解決するための手段】
【００１２】
本発明はストロボ装置用発光回路は、閃光放電管に電力供給するためのコンデンサと、コンデンサと閃光放電管とを繋ぐ電路上に設けられたインダクタとを備え、インダクタが導線を螺旋状に巻いたコイルで構成されたストロボ装置用発光回路において、インダクタは、導線を螺旋状に巻いた第一コイル部と、第一コイル部に対して電気的に直列接続され、第一コイル部と同心又は略同心になるように導線を螺旋状に巻いた第二コイル部とを少なくとも一つずつ備え、第一コイル部は、電流が中心回りで一方向に流れるように導線の巻方向が設定され、第二コイル部は、電流が中心回りで一方向とは逆の他方向に流れるように導線の巻方向が設定されていることを特徴とする。
【００１３】
上記構成のストロボ装置用発光回路によれば、第一及び第二コイル部は、互いに電流が中心回りで逆の方向に流れるように導線の巻方向が設定されているので、インダクタ回りで発生する磁場の範囲を縮小することができる。
【００１４】
具体的には、インダクタに電力が供給されると、第一コイル部及び第二コイル部の何れも磁力を発生させて磁場が形成されることになるが、第一コイル部は、電流が中心回りで一方向に流れるように導線の巻方向が設定され、第二コイル部は、電流が中心回りで一方向とは逆の他方向に流れるように導線の巻方向が設定されているため、第一コイル部で発生する磁力（磁束）の向きと、第二コイル部で発生する磁力（磁束）の向きとが相反する方向になる。
【００１５】
これにより、第一コイル部からの磁力と第二コイル部からの磁力とが互いに打ち消し合うことになり、インダクタ全体回りの磁場の範囲が縮小される（狭い範囲、或いはゼロ）になる。すなわち、本発明は、インダクタ全体における導線の巻数が本発明における第一コイル部の導線の巻数と第二コイル部の導線の巻数との合計巻数と同じ巻数に設定され、導線の巻方向が全長に亘って同方向に設定された従来のインダクタを採用する場合に比して、発生する磁場の範囲を狭い範囲にする、或いは無くすことができる。
【００１６】
従って、本発明のストロボ装置用発光回路は、構造を複雑にすることなくインダクタ回りの磁場の範囲を縮小し、インダクタから発生する磁力が内外に与える影響を低減することができる
本発明の一態様として、第一コイル部と第二コイル部は、導線の巻数が異なることが好ましい。このようにすれば、第一コイル部又は第二コイル部のうち、巻数の多いコイル部回りの磁場の範囲は広くなるが、巻数の少ないコイル部回りでの必要最小限の磁場（巻数の多いコイル部の磁場よりも狭い範囲の磁場）が巻数の多いコイル部の広い磁場を打ち消すことになる。従って、内外に影響を与える恐れのある磁力の作用する範囲（磁場）を効率よく狭めることができる。
【００１７】
また、本発明の他態様として、コンデンサ及びインダクタが筐体内に内装され、筐体の壁部とコンデンサとの間に、第一コイル部又は第二コイル部の何れか一方が壁部側に配置されるとともに、他方がコンデンサ側に配置され、第一コイル部又は第二コイル部のうち、壁部側に配置される一方の導線の巻数よりも、他方の導線の巻数が多く設定されていることが好ましい。
【００１８】
上記構成によれば、コンデンサ側にある導線の巻数の多いコイル部回りに発生する広範囲の磁場と筐体の壁側にある巻数の少ないコイル部の磁場とが打ち消し合うことになり、インダクタ回りの磁場の範囲を狭くすることができる。そして、筐体の壁部側にあるコイル部の磁場が完全に打ち消されなくても、筐体側にあるコイル部は、導線の巻数が少ないため、発生する磁場（打ち消されなかった磁場）の範囲が非常に狭いことから、壁部側のコイル部からの磁力が外部に漏洩することを低減できる。
【００１９】
さらに、第一コイル部と第二コイル部との間に、第一コイル部と第二コイル部との配置を決定するためのスペーサーが配置されることが好ましい。このようにすれば、第一コイル部及び第二コイル部を、第一コイル部回りで発生する磁場と第二コイル部回りで発生する磁場とが互いに打ち消し合うことができる配置をより確実に行うことができる。
【００２０】
そして、本発明に係るストロボ装置は、閃光放電管と、上記何れかの発光回路とを備えていることを特徴とする。
【００２１】
かかる構成によれば、上記何れかの発光回路を備えているので、上述の作用及び効果を奏することができる。すなわち、本発明に係るストロボ装置は、構造を複雑にすることなくインダクタ回りの磁場の範囲を縮小し、インダクタから発生する磁力が内外に与える影響を低減することができる。
【発明の効果】
【００２２】
以上のように、本発明に係るストロボ装置用発光回路、及びストロボ装置は、何れも構造を複雑にすることなくインダクタ回りの磁場の範囲を縮小し、インダクタから発生する磁力が内外に与える影響を低減することができるという優れた効果を奏し得る。
【図面の簡単な説明】
【００２３】
【図１】本発明の一実施形態に係るストロボ装置に搭載されるストロボ装置用発光回路の概略回路図
【図２】同実施形態に係るストロボ装置（ストロボ装置用発光回路）に採用されるインダクタの概念図
【図３】同実施形態に係るストロボ装置の背面側から見た斜視図
【図４】本発明の他実施形態に係るストロボ装置（ストロボ装置用発光回路）に採用されるインダクタの説明図であって、（ａ）は、インダクタの概略図、（ｂ）は、スペーサー周辺の部分断面図
【図５】本発明の別の実施形態に係るストロボ装置（ストロボ装置用発光回路）に採用されるインダクタの概略図
【図６】本発明の別の実施形態に係るストロボ装置に搭載されるストロボ用発光回路の概略回路図
【図７】本発明の別の実施形態に係るストロボ装置（ストロボ装置用発光回路）に採用されるインダクタと、磁界低減用コイルの配置を説明するための概念図
【図８】実施例に測定条件を説明するための概略説明図
【発明を実施するための形態】
【００２４】
以下、本発明の一実施形態について、添付図面を参照しつつ説明する。
【００２５】
本実施形態に係るストロボ装置は、図１に示す如く、閃光放電管２と、閃光放電管２を発光させるための発光回路３とを備えている。また、本実施形態に係るストロボ装置１は、光源に閃光放電管２が採用されているため、閃光放電管２を発光させるとき（写真撮影するに当り）、閃光放電管２に励起電流を供給するためのトリガー回路４を備えている。
【００２６】
閃光放電管２は、筒状のガラスバルブ（採番しない）の両端部に一対の電極２ａ，２ｂが封着され、ガラスバルブ内にキセノン等の希ガスが封入されている。そして、トリガー回路４からの励起電流を受けるべく、閃光放電管２のガラスバルブの外面に、トリガー回路４に電気的に接続されたトリガー電極５が設けられている。
【００２７】
発光回路３は、閃光放電管２に電力供給するためのコンデンサ６と、コンデンサ６と閃光放電管２とを繋ぐ電路上に設けられたインダクタ７とを備えている。より具体的に説明すると、本実施形態に係る発光回路３は、閃光放電管２に対する電力の供給源となる電源回路８と、電源回路８から供給される電力で閃光放電管２を発光させるための閃光放電管点灯回路９とを備えている。
【００２８】
電源回路８は、電池１０と、電池１０の電圧を数１００Ｖの高電圧に変換するＤＣ／ＤＣコンバーター１１と、ＤＣ／ＤＣコンバーター１１で高電圧にされた電力を蓄電するコンデンサ６とを備え、これらが直列に接続された閉回路になっている。
【００２９】
閃光放電管点灯回路９は、電源回路８のコンデンサ６のプラス側の電路（ＤＣ／ＤＣコンバーター１１とコンデンサ６との間にある電路）と閃光放電管２の一方の電極２ａとを電気的に繋ぐ電路（以下、一次側電路という）１２と、電源回路８のコンデンサ６のマイナス側の電路（コンデンサ６と電池１０との間にある電路）と閃光放電管２の他方の電極２ｂとを電気的に繋ぐ電路（以下、二次側電路という）１３とを備えている。
【００３０】
そして、閃光放電管点灯回路９は、一次側電路１２上にインダクタ７が設けられ、二次側電路１３上に閃光放電管２の発光の開始と停止とを切り換える発光制御手段１４が設けられている。なお、発光制御手段１４は、閃光放電管２の発光電流を制御するとともに、二次側電路１３の接続と切断を切り換え可能であればよく、回路的に構成したり、トランジスタで構成したりすることができる。
【００３１】
インダクタ７は、図２に示す如く、導線を螺旋状に巻いたコイルで構成されている。具体的には、インダクタ７は、導線を螺旋状に巻いた第一コイル部１５と、第一コイル部１５に対して電気的に直列接続され、第一コイル部１５と同心又は略同心になるように導線を螺旋状に巻いた第二コイル部１６とを少なくとも一つずつ備える。本実施形態に係るインダクタ７は、第一コイル部１５及び第二コイル部１６のそれぞれが一つずつ備えている。
【００３２】
第一コイル部１５は、電流が中心回りで一方向に流れるように導線の巻方向が設定されている。これに対し、第二コイル部１６は、電流が中心回りで一方向とは逆の他方向に流れるように導線の巻方向が設定されている。
【００３３】
本実施形態に係る第一コイル部１５及び第二コイル部１６は、同心又は略同心になるように一列に配置されており、何れも導線が中心回りで一方向に巻かれて形成されている。そして、上述の如く、第一コイル部１５で電流が中心回りで一方向に流れ、第二コイル部１６で電流が中心回りで一方向とは逆の他方向に流れるようにするために、本実施形態に係る第一コイル部１５は、第二コイル部１６と隣り合う部分が電流の流れ方向における二次側になり、第二コイル部１６は、第一コイル部１５と隣り合う部分が電流の流れ方向における一次側になっている。
【００３４】
すなわち、第一コイル部１５を構成する二次側の導線の端部は、第二コイル部１６における第一コイル部１５と隣り合う部分とは反対側にある一次側の導線の端部に電気的に接続されている。なお、本実施形態のインダクタ７は、第二コイル部１６の一次側の導線が第一コイル部１５側に向かうように該第二コイル部１６内を通り、第一コイル部１５の二次側の導線と電気的に直接接続されている。
【００３５】
そして、上記構成のインダクタ７は、第一コイル部１５の一次側の導線がコンデンサ６（電源回路８）に電気的に接続され、第二コイル部１６の二次側の導線が閃光放電管２の一方の電極２ａに電気的に接続されている。
【００３６】
第一コイル部１５又は第二コイル部１６は、導線の巻数を同一にしてもよいが、本実施形態では、導線の巻数を異にしており、第一コイル部１５の巻数が第二コイル部１６の導線の巻数よりも多くなっている。
【００３７】
そして、本実施形態に係るストロボ装置１は、図３に示す如く、筐体１７を備えており、その筐体１７の内部に発光回路３やトリガー回路４等が内装されている。かかる筐体１７は、閃光放電管２の発光部を外部に露呈させた状態（発光した光を外部に照射できる状態）で、閃光放電管２を内装でき、また、内部に発光回路３やトリガー回路４を実装できれば形態が問われるものではないが、図２に示すストロボ装置１においては、カメラに接続される接続部を下端部に有する第一筐体１８と、該第一筐体１８の上端部に対して回転可能に接続された第二筐体１９とで構成されており、第一筐体１８と第二筐体１９との接続部分に発光回路３のコンデンサ６とインダクタ７とが内装されている。そして、図示しないが、発光回路３におけるコンデンサ６及びインダクタ７以外の構成が第一筐体１８に内装されており、第二筐体１９の先端部に閃光放電管２が発光部を外部に露呈させた状態で内装されている。なお、トリガー回路４は、上述の如く、トリガー電極５に電気的に接続されていればよく、第一筐体１８又は第二筐体１９に内装される。
【００３８】
そして、本実施形態に係るストロボ装置１は、コンデンサ６とインダクタ７（コイル）が略一列をなすように筐体１７内（第一筐体１８と第二筐体１９との接続部分内）に内装されている。そして、インダクタ７は、筐体１７内において筐体１７を構成する壁部（内部空間を画定する壁部）側に偏って配置されている。すなわち、インダクタ７は、筐体１７の壁部とコンデンサ６との間に配置されている。
【００３９】
そして、本実施形態に係るストロボ装置１（発光回路３）は、インダクタ７が第一コイル部１５及び第二コイル部１６で構成されているため、上述の如く、筐体１７の壁部とコンデンサ６との間に配置されることで、筐体１７の壁部とコンデンサ６との間で第一コイル部１５又は第二コイル部１６の何れか一方が壁部側に配置されるとともに、他方がコンデンサ６側に配置される。本実施形態においては、第二コイル部１６よりも導線の巻数の多い第一コイル部１５がコンデンサ６側に配置され、第一コイル部１５よりも導線の巻数の少ない第二コイル部１６が筐体１７の壁部側に配置されている。
【００４０】
本実施形態に係るストロボ装置１は、以上の構成からなり、次に、このストロボ装置１の作動について説明する。
【００４１】
本実施形態に係るストロボ装置１は、上述の如く、筐体１７（第一筐体１８）の下端部にカメラに接続する接続部が設けられているため、写真撮影するに当り、予め接続部をカメラに接続した状態で使用される。なお、特に言及しなかったが、上記構成のストロボ装置１は、カメラに接続した状態で、発光制御手段１４及びトリガー回路４がカメラのシャッターボタンの操作に連動し、閃光放電管２を発光させるようになっている。
【００４２】
そして、上記ストロボ装置１は、発光回路３の電源回路８においてコンデンサ６に電力が蓄積される。すなわち、上記発光回路３における電源回路８は、閉回路になっているため、電池１０からの電力がＤＣ／ＤＣコンバーター１１で高電圧にされた上でコンデンサ６に蓄積される。そして、コンデンサ６に電力（閃光放電管２を発光させるのに必要なエネルギー）が蓄積されると、写真撮影（閃光放電管２の発光）を行える状態になる。
【００４３】
そして、カメラのシャッターボタンが操作されると、発光制御手段１４が閃光放電管点灯回路９を接続し、コンデンサ６（電源回路８）から閃光放電管２に向けて高電圧の電力が供給され、これに併せて、トリガー回路４からトリガー電極５に向けて高電圧の励起電流が供給される。
【００４４】
そうすると、閃光放電管２は、トリガー電極５に供給された励起電流によって励起され、一対の電極２ａ，２ｂ間でスパークを発生させて発光することになる。
【００４５】
このように電源回路８（コンデンサ６）から閃光放電管２に向けて電力が供給されると、一次側電路１２上のインダクタ７がコイルで構成されているため、インダクタ７に電磁誘導が生じて磁力が発生し、インダクタ７回りに磁場が形成されることになる。
【００４６】
本実施形態において、インダクタ７は、導線を螺旋状に巻いた第一コイル部１５と、第一コイル部１５に対して電気的に直列接続され、第一コイル部１５と同心又は略同心になるように導線を螺旋状に巻いた第二コイル部１６とを備え、第一コイル部１５は、電流が中心回りで一方向に流れるように導線の巻方向が設定され、第二コイル部１６は、電流が中心回りで一方向とは逆の他方向に流れるように導線の巻方向が設定されているため、インダクタ７回りで発生する磁場の範囲が縮小されることになる。
【００４７】
具体的には、インダクタ７に電力が供給されると、第一コイル部１５及び第二コイル部１６の何れも磁力を発生させて磁場が形成されることになるが、第一コイル部１５は、電流が中心回りで一方向に流れるように導線の巻方向が設定され、第二コイル部１６は、電流が中心回りで一方向とは逆の他方向に流れるように導線の巻方向が設定されているため、第一コイル部１５で発生する磁力（磁束）の向きと、第二コイル部１６で発生する磁力（磁束）の向きとが相反する方向になる。
【００４８】
これにより、第一コイル部１５からの磁力と第二コイル部１６からの磁力とが互い打ち消し合うことになり、インダクタ７全体回りの磁場の範囲が縮小される（狭い範囲、或いはゼロ）になる。
【００４９】
また、本実施形態において、第一コイル部１５の導線の巻数が第二コイル部１６よりも多いため、第一コイル部１５回りの磁場の範囲が広くなるが、第二コイル部１６回りでの必要最小限の磁場（巻数の多い第一コイル部１５の磁場よりも狭い範囲の磁場）が巻数の多い第一コイル部１５の広い磁場を打ち消すことになる。特に、本実施形態に係るストロボ装置１は、筐体１７の壁部とコンデンサ６との間で第二コイル部１６が壁部側に配置されるとともに、第一コイル部１５がコンデンサ６側に配置され、筐体１７の壁部側に配置される第二コイル部１６における導線の巻数よりも、第一コイル部１５における導線の巻数が多く設定されているため、コンデンサ６側にある導線の巻数の多い第一コイル部１５回りに発生する広範囲の磁場と筐体１７の壁側にある巻数の少ないコイル部の磁場とが打ち消し合うことになり、インダクタ７回りの磁場の範囲を狭くすることができる。そして、筐体１７の壁部側にある第二コイル部１６の磁場が完全に打ち消されなくても、筐体１７側にある第二コイル部１６は、導線の巻数が少ないため、発生させる磁場（打ち消されなかった磁場）の範囲が非常に狭いことから第二コイル部１６からの磁力が外部に漏洩することを低減できる。
【００５０】
従って、本実施形態に係るストロボ装置１は、構造を複雑にすることなくインダクタ７回りの磁場の範囲を縮小し、インダクタ７から発生する磁力が内外に与える影響を低減することができるという優れた効果を奏し得る。
【００５１】
尚、本発明は、上記実施形態に限定されるものではなく、本発明の要旨を逸脱しない範囲で適宜変更可能であることは勿論のことである。
【００５２】
上記実施形態において、第一コイル部１５及び第二コイル部１６のそれぞれを一つずつ設けたが、これに限定されるものではなく、第一コイル部１５及び第二コイル部１６のそれぞれを二つ以上設けてもよい。但し、第一コイル部１５及び第二コイル部１６のそれぞれを二つ以上設ける場合、第一コイル部１５と第二コイル部１６とを交互に配置し、第一コイル部１５に電流が中心回りで一方向に流れるように構成され、第二コイル部１６に電流が中心回りで一方向とは逆の他方向に流れるように構成されることは勿論のことである。
【００５３】
上記実施形態において、第一コイル部１５と第二コイル部１６とを隣り合わせで一列に配置したが、これに限定されるものではなく、例えば、図４に示す如く、第一コイル部１５と第二コイル部１６との間に板状のスペーサー２０を配置するようにしてもよい。このようにすれば、スペーサー２０の厚みを適宜設定することで、第一コイル部１５回りに形成される磁場を第二コイル部１６回りに形成される磁場で効率的に打ち消すことのできる位置に第一コイル部１５及び第二コイル部１６を適確に配置することができる。
【００５４】
そして、上記実施形態において、第二コイル部１６の一次側の導線を第一コイル部１５に向かうように第二コイル部１６内に通して第一コイル部１５の二次側の導線と電気的に直接接続するようにしたが、上述の如く、第一コイル部１５と第二コイル部１６との間にスペーサー２０を配置する場合、このスペーサー２０を用いて第一コイル部１５と第二コイル部１６とを電気的に接続してもよい。具体的には、図４（ａ）及び図４（ｂ）に示す如く、スペーサー２０に対して第一コイル部１５の導線及び第二コイル部１６の導線を挿入する二つの貫通穴２１，２２を形成し、各貫通穴２１，２２に挿入した導線のそれぞれに対し、スペーサー２０の面に沿って配置された導線や導電パターン２３を電気的に接続（例えば、半田付け）するようにしてもよい。
【００５５】
上記実施形態において、導線が中心回りで一方向に巻かれて形成された第一コイル部１５及び第二コイル部１６を同心又は略同心になるように一列に配置し、第二コイル部１６の一次側の導線を第一コイル部１５に向かうように第二コイル部１６内に通して第一コイル部１５の二次側の導線と電気的に直接接続するようにしたが、これに限定されるものではなく、例えば、図５に示す如く、導線を中心回りで一方向に巻いて第一コイル部１５を形成し、導線を中心回りで一方向とは反対の他方向に巻いて第二コイル部１６を形成してもよい。この場合、第一コイル部１５の第二コイル部１６と隣り合う部分が電流の流れ方向における二次側になり、第二コイル部１６の第一コイル部１５と隣り合う部分が電流の流れ方向における一次側になるため、導線の巻方向を途中で変更することで、第一コイル部１５及び第二コイル部１６を連続的に形成することができる。
【００５６】
上記実施形態において、第一コイル部１５及び第二コイル部１６の導線の巻数を異ならせたが、これに限定されるものではなく、第一コイル部１５及び第二コイル部１６の導線の巻数を同数にしてもよい。但し、第一コイル部１５及び第二コイル部１６の磁場が互いに打ち消しあってインダクタ７全体の磁場の範囲が狭くなることが前提である。
【００５７】
上記実施形態において、インダクタ７及びコンデンサ６を筐体１７に内装することを前提に、インダクタ７の第一コイル部１５をコンデンサ６側に配置するとともに第二コイル部１６を筐体１７の壁部側に配置するようにしたが、これに限定されるものではなく、例えば、インダクタ７の第一コイル部１５を筐体１７の壁部側に配置するとともに第二コイル部１６をコンデンサ６側に配置するようにしてもよい。この場合、第一コイル部１５の導線の巻数を第二コイル部１６の導線の巻数よりも少なくすることが好ましいことは、上記実施形態から明らかである。
【００５８】
上記実施形態において、インダクタ７及びコンデンサ６を筐体１７に内装することを前提に、導線の巻数の多い第一コイル部１５をコンデンサ６側に配置するとともに導線の巻数の少ない第二コイル部１６を筐体１７の壁部側に配置するようにしたが、これに限定されるものではなく、インダクタ７が筐体１７の壁部側に偏った配置にならないような場合には第一コイル部１５及び第二コイル部１６の導線の巻数を同数にしてもよいし、第二コイル部１６の導線の巻数を第一コイル部１５の導線の巻数よりも多くするようにしてもよい。すなわち、インダクタ７のレイアウトにより、磁場の範囲が内外に影響を及ぼすことが最小限に抑えることができるように、第一コイル部１５及び第二コイル部１６の配置や、導線の巻数を設定すればよい。
【００５９】
上記の実施形態では、第一コイル部１５及び第二コイル部１６を直列接続しているが、その他の実施形態として、例えば、図６及び図７に示す如く、第一コイル部１５は従来のコイルのように、電流が中心回りで一方向に流れるように構成し、第二コイル部１６を第一コイル部１５とは接続させずに、独立したループコイル状に構成して第一コイル部１５の近傍に配置しても良い。
【００６０】
この場合、第二コイル部１６は発光回路３と電気的に接続していないが、電流が中心周りでコイル部１５とは逆の他方向に流れるように構成した上で、第一コイル部１５の近傍に配置することで、第一コイル部１５からの電磁誘導により、第二コイル部１６にも弱電流と弱磁場が発生する。
【００６１】
この磁場によって第一コイル部１５から発生した磁場と互いに打ち消し合うことから、上記実施形態同様に、インダクタ７全体回りの磁場を弱めることが可能となる。
【実施例】
【００６２】
本発明者は、第一コイル部１５と第二コイル部とを備えたインダクタ７の性能を確認したところ、表１に示す結果が得られた。
【００６３】
なお、本実施例において、第一コイル部１５及び第二コイル部１６は、導線の素材や巻径を同一に設定し、導線の巻数のみを変更した。また、閃光放電管２を１／１発光させるときよりも１／４発光させるときの方が、電流の変化が激しく、インダクタ７回りの磁力が強くなる（磁場の範囲が広くなる）傾向にあるため、本実施例では、閃光放電管２を１／４発光、すなわち、コンデンサの全容量の１／４のエネルギーで発光させるようにした。なお、コンデンサ６には、電圧３３０Ｖ、１１００μＦのものを採用した。
【００６４】
そして、本実施例において、図８に示す如く、第一コイル部１５及び第二コイル部１６を直列に配置し、第一コイル部１５と第二コイル部１６との間に厚みの異なるスペーサー２０を配置して第一コイル部１５と第二コイル部１６との間隔Ｗを０ｍｍ〜４ｍｍの範囲で１ｍｍずつ変更し、各間隔Ｗでの磁場強度を測定した。なお、磁場強度測定器２４の測定部２５（Ｎａｒｄａ  Ｓ．Ｔ．Ｓ社製  ＥＬＴ−４００  磁界曝露レベルテスタ）と第二コイル部１６との間隔Ｌは、５０ｍｍに設定した。
【００６５】
【表１】
2011035339.tif 000003
以上のように、第一コイル部１５（コンデンサ６側にあるコイル部）の導線のターン数（巻数）が５７．５巻であることを前提に、第二コイル部１６（筐体１７の壁部側にあるコイル部）の導線の巻数を０．０巻（第二コイル部１６無し）〜５２．５巻の範囲での磁場強度を測定したところ、第一コイル部１５の導線の巻数が５７．５巻であるときに、第二コイル部１６の導線の巻数が２２．５巻〜４７．５巻の範囲で磁場強度を効率的に抑え得ることが確認できた。
【００６６】
また、磁場強度を抑えることに加え、閃光放電管２を発光させる（発光制御する）のに適正なインダクタンス（目標値：実施例では９１．１μｍｍ）に近づけるには、第一コイル部１５と第二コイル部１６との間隔が２ｍｍ〜４ｍｍで、第一コイル部１５の導線の巻数が５７．５巻であるときに、第二コイル部１６の導線の巻数が３２．５巻〜４２．５巻の範囲が良好であることが確認できた。
【００６７】
すなわち、磁場強度を１／３に低減するだけであれば、第一コイル部１５単体のインダクタンスを１００％としたときに、第二コイル部１６単体のインダクタンスが第一コイル部１５のインダクタンスに対して２０％〜７０％になるように第二コイル部１６の巻数を設定すればよいが、インダクタ７全体のインダクタンスが目標値にまで達することができず、第二コイル部１６単体のインダクタンスが６３％以上になると、インダクタ７全体のインダクタンスが目標値を超えてしまうことが確認できた。
【００６８】
これより、第一コイル部１５単体のインダクタンスを１００％としたときに、第二コイル部１６単体のインダクタンスが第一コイル部１５のインダクタンスに対して４０％〜６０％になるように、第二コイル部１６の巻数を設定することが、インダクタ７全体のインダクタンスを適正にしつつ（目標値に近づけつつ）、磁場強度を小さくできることが確認できた。
【産業上の利用可能性】
【００６９】
本発明のストロボ装置用発光回路は、閃光放電管に電力供給するためのコンデンサと、コンデンサと閃光放電管とを繋ぐ電路上に設けられたインダクタとを備え、インダクタが導線を螺旋状に巻いたコイルで構成されたストロボ装置用発光回路において、インダクタは、導線を螺旋状に巻いた第一コイル部と、第一コイル部に対して電気的に直列接続され、第一コイル部と同心又は略同心になるように導線を螺旋状に巻いた第二コイル部とを少なくとも一つずつ備え、第一コイル部は、電流が中心回りで一方向に流れるように導線の巻方向が設定され、第二コイル部は、電流が中心回りで一方向とは逆の他方向に流れるように導線の巻方向が設定されていることによって、構造を複雑にすることなくインダクタ回りの磁場の範囲を縮小し、インダクタから発生する磁力が内外に与える影響を低減することが必要な用途にも適用できる。
【００７０】
また、本発明のストロボ装置は、閃光放電管と、発光回路とを備え、発光回路が閃光放電管に電力供給するためのコンデンサと、コンデンサと閃光放電管とを繋ぐ電路上に設けられたインダクタとを備え、インダクタが導線を螺旋状に巻いたコイルで構成され、インダクタは、導線を螺旋状に巻いた第一コイル部と、第一コイル部に対して電気的に直列接続され、第一コイル部と同心又は略同心になるように導線を螺旋状に巻いた第二コイル部とを少なくとも一つずつ備え、第一コイル部は、電流が中心回りで一方向に流れるように導線の巻方向が設定され、第二コイル部は、電流が中心回りで一方向とは逆の他方向に流れるように導線の巻方向が設定されていることによって、構造を複雑にすることなくインダクタ回りの磁場の範囲を縮小し、インダクタから発生する磁力が内外に与える影響を低減することが必要な用途にも適用できる。
【符号の説明】
【００７１】
１    ストロボ装置
２    閃光放電管
２ａ  電極
２ｂ  電極
３    発光回路
４    トリガー回路
５    トリガー電極
６    コンデンサ
７    インダクタ
８    電源回路
９    閃光放電管駆動回路
１０  電池
１１  コンバーター
１２  一次側電路
１３  二次側電路
１４  発光制御手段
１５  第一コイル部
１６  第二コイル部
１７  筐体
１８  第一筐体
１９  第二筐体
２０  スペーサー
２１，２２    貫通穴
２３  導線、導電パターン
２４  磁場強度測定器
２５  測定部
【図１】
2011035339.tif 000004
【図２】
2011035339.tif 000005
【図３】
2011035339.tif 000006
【図４】
2011035339.tif 000007
【図５】
2011035339.tif 000008
【図６】
2011035339.tif 000009
【図７】
2011035339.tif 000010
【図８】
2011035339.tif 000011